(57)【要約】      （修正有）【課題】電磁石を用いるリフティングマグネットにおいて、外部と接続されるケーブルを必要とせず、比較的大きな電力を供給できるようにする。【解決手段】リフティングマグネットＸは、リフティングマグネット本体１０、内燃力発電機２０、ケース３０から構成される。リフティングマグネット本体１０は、一般的な電磁式リフティングマグネットと同様であり、鉄製の偏平な円板状の本体を有し、底面に磁力を発生させるように、内部に電磁石が内蔵されている。内燃力発電機２０はリフティングマグネット本体１０の上面に固定部材１１に囲まれるように載置され、リフティングマグネット本体１０内の電磁石に前述したプラグを介して電気的に接続される。【選択図】図２
0003201467.tif 000002
【実用新案登録請求の範囲】
【請求項１】
底面に吸着面が形成される電磁式又は永電磁式のリフティングマグネット本体と、
前記リフティングマグネット本体の上面に固定され、前記リフティングマグネット本体に電力を供給する内燃力発電機と
を有する
リフティングマグネット。
【請求項２】
前記内燃力発電機を収納する下方が開放した箱体からなり、下端側が前記リフティングマグネット本体上面に着脱可能に固定されるとともに、上部がクレーンの玉掛けワイヤーロープ先端に固定可能に形成されるケースを、さらに有する、
請求項１に記載のリフティングマグネット。
【考案の詳細な説明】
【技術分野】
【０００１】
本考案は、電磁式又は永電磁式のリフティングマグネットに関し、特に、電源を一体に形成したものに関する。
【背景技術】
【０００２】
磁気により鉄などを持ち上げるために用いられるリフティングマグネットは、オンオフが遠隔で操作でき、対象物に残留磁気を残さないことができるといった理由から電磁石を用いたものが広く用いられている。
電磁石を用いるリフティングマグネットには電力を供給する必要がある。従来のリフティングマグネットへの電力の供給方法として、多くのクレーンで吊り下げるリフティングマグネットや特許文献１に記載のリフティングマグネットで採用されているようにリフティングマグネット本体とは離れた位置に設けられた発電機からケーブルを介して電力を供給する方法がある。この方法によれば、比較的大きな電力を長時間リフティングマグネットに供給できるという利点がある。また、下記特許文献２に記載されるようにリフティングマグネット本体に発電機を載せ、油圧モーターにより発電機を駆動することで電力をリフティングマグネットに供給する方法もある。この方法によれば、クレーン車の油圧回路を利用して油圧モーターを回すことができるという利点がある。さらに、別の方法として、下記特許文献３、４に記載されているようにリフティングマグネット本体にバッテリーを載せ、当該バッテリーからリフティングマグネットに電力を供給する方法もある。この方法によれば、長い電源ケーブルや油圧ケーブルを接続する必要がなくなるという利点がある。
【先行技術文献】
【特許文献】
【０００３】
【特許文献１】特開２０１２−２４０８１８
【特許文献２】特開平９−２４０９８０
【特許文献３】特開平８−２６６５２
【特許文献４】特開２００１−２４０３５９
【考案の概要】
【考案が解決しようとする課題】
【０００４】
ところで、電源ケーブルを介してリフティングマグネットに電力を供給する方法は、電源ケーブルの取り回しが必要となるので、リフティングマグネットの着脱作業が煩雑となり、不注意の事故によるケーブルの切断の恐れが生じるという問題がある。リフティングマグネットに載せた発電機を油圧モーターで駆動させる場合も、やはり油圧ケーブルの取り回しが必要となるので、リフティングマグネットの着脱作業が煩雑となり、油圧モーターと油圧発電機をリフティングマグネットに載せるため重量が大きくなり過ぎるという問題がある。リフティングマグネットに載せたバッテリーからリフティングマグネットに電力を供給する方法は、ケーブルをなくすことができるので、上記２つの方法よりも簡易に着脱等が行えるが、バッテリーの場合は電力量に制限があり、持ち上げる対象物の重量が制限されるという問題がある。
本考案はこのような問題に鑑みて、電磁石を用いるリフティングマグネットにおいて、外部と接続されるケーブルを必要とせず、比較的大きな電力を供給できるようにすることを課題とする。
【課題を解決するための手段】
【０００５】
上記課題を解決するために、本考案は、次のような構成を有する。
請求項１に記載の考案は、底面に吸着面が形成される電磁式又は永電磁式のリフティングマグネット本体と、前記リフティングマグネット本体の上面に固定され、前記リフティングマグネット本体に電力を供給する内燃力発電機とを有するリフティングマグネットである。
請求項２に記載の考案は、前記リフティングマグネットにおいて、前記内燃力発電機を収納する下方が開放した箱体からなり、下端側が前記リフティングマグネット本体上面に着脱可能に固定されるとともに、上部がクレーンの玉掛けワイヤーロープ先端に固定可能に形成されるケースを、さらに有するものである。
【考案の効果】
【０００６】
以上のような構成により、本考案は、次のような効果を奏する。
請求項１に記載の考案は、内燃力発電機をリフティングマグネット本体上に固定し、当該内燃力発電機によってリフティングマグネット本体に電力を供給するので、外部に接続させるケーブルを必要とせず、内燃力発電機を用いることで比較的長時間、大きな電力を電磁石に供給することができる。
請求項２に記載の考案は、内燃力発電機がケース内に収納されることで作業中に内燃力発電機が外部からの衝撃を受けて故障することが抑制でき、ケース下端側を着脱可能として、ケース上部を玉掛けワイヤーローブに固定可能とすることで、ケース下端側を脱離すれば直ちにケースを玉掛けワイヤーロープでつるし上げて内燃力発電機を表出させることができるので、内燃力発電機のメンテナンス等を簡単に行うことができる。
【図面の簡単な説明】
【０００７】
【図１】実施形態に係るリフティングマグネットを示す斜視図である。
【図２】実施形態に係るリフティングマグネットの分解斜視図である。
【考案を実施するための形態】
【０００８】
以下、本考案の実施の形態について、図面を参照しながら説明する。
図１に本実施形態に係るリフティングマグネットＸの斜視図を示し、図２にリフティングマグネットＸの分解斜視図を示す。リフティングマグネットＸは、リフティングマグネット本体１０、内燃力発電機２０、ケース３０から構成される。
リフティングマグネット本体１０は、一般的な電磁式リフティングマグネットと同様であり、鉄製の偏平な円板状の本体を有し、底面に磁力を発生させるように、内部に電磁石が内蔵されている。なお、図示していないが、電磁石に通電するためのプラグがリフティングマグネット本体１０の上面に配置されている。また、円板状の本体の上面には、後述するケース３０を固定するための、ネジ穴１１ａが形成された角棒状の固定部材１１が溶接固定されている。
【０００９】
内燃力発電機２０は、ここではガソリンエンジンを駆動力として発電機を回転させる一般的なエンジン発電機が用いられる。なお、燃料を燃焼させることでエンジンを回転させる発電機であれば、種々のものが採用でき、ガス、軽油、水素等を燃料とするエンジンを用いた発電機を使うことができる。内燃力発電機２０はリフティングマグネット本体１０の上面に固定部材１１に囲まれるように載置され、リフティングマグネット本体１０内の電磁石に前述したプラグを介して電気的に接続される。また、ここで用いる内燃力発電機２０はワイヤレスリモコンによる出力電流のオンオフが可能なものが用いられる。内燃力発電機２０は後述する鉄製のケース内に収められるので、ワイヤレスリモコン用の底面に磁石が設けられたアンテナ２１が引き出し線２２を介して接続されている。アンテナ２１は引き出し線２２を介してケース３０の外部に引き出し、磁石によってケース３０の適当な位置に吸着固定させる。
【００１０】
ケース３０は、内燃力発電機２０を内部に収納し固定する下方が開放した鉄製の箱体により形成される。ケース３０の下端にはリフティングマグネット本体１０の固定部材１１のネジ穴１１ａに合致するようにボルト穴３１が設けられ、このボルト穴３１を介してボルトによって固定部材１１に固定される。ケース３０は内燃力発電機２０を収納した状態で、燃料の補給、エンジンスタート等の各種操作部の操作、インジケーターの目視、エンジンの給排気等が可能なように、適当な位置に内部に通じる適当な大きさの穴が設けられている。ケース３０の上部には下底が切り欠かれた略三角状の板体からなる吊り下げ板３２が溶接固定され、吊り下げ板３２の頂点部分にシャックル３３が固定されている。なお、シャックル３３部分は、クレーンの玉掛けワイヤーロープ先端に吊り下げ固定できる構造であれば種々の変更が可能であり、Ｃカンやアイが形成されたワイヤー等種々のものが採用できる。
【００１１】
次に、以上のような構成を有するリフティングマグネットＸの使用方法について説明する。使用者は、内燃力発電機２０内には燃料が入っていなければ燃料を入れておく。そして、ケース３０のシャックル３３をフック等を介してクレーンおワイヤーロープに固定する。次に、内燃力発電機２０のエンジンを始動させる。この状態で内燃力発電機２０から電磁石への通電を図示しないリモコン端末を介してオフにしておく。その後、クレーンを操作して、磁性体からなる運搬対象物の上部にリフティングマグネットＸの底面を位置づけ、リモコン端末によって内燃力発電機２０から電磁石への通電をオンにし電磁石に電力を供給する。これによって電磁石は磁力を発生させ運搬対象物を吸着するので、この状態でクレーンによりリフティングマグネットＸを吊り上げ、運搬対象物を所定の場所に移動させる。その後、リモコン端末によって内燃力発電機２０から電磁石への通電をオフにすることで電磁石の磁力をなくして運搬対象物を電磁石から切り離す。以上のような操作によって所定場所への運搬対象物の移動が完了する。このように、リフティングマグネットＸは、クレーンに吊り下げるだけで直ちに使用することができ、ガソリンエンジン発電機を用いることで、比較的長時間、大きな電力を電磁石に供給することが可能となる。
また、内燃力発電機２０をメンテナンス等するような場合には、まず、リフティングマグネットＸを地面などに載置し、ケース３０のシャックル３３をフック等を介してクレーンのワイヤーロープに固定する。その後、リフティングマグネット本体１０にケース３０を固定するボルトを外し、ケース３０をクレーンで吊り上げて、内燃力発電機２０を表出させ、メンテナンス等を行う。このようにリフティングマグネットＸは、ケース３０にクレーン等に吊り下げるためのシャックル３３が設けられており、ケース３０は下端でリフティングマグネット本体１０と固定されているので、ケース３０が重い鉄製等であっても比較的簡易にクレーン等で吊り上げて内燃力発電機２０等を表出させることができる。
【００１２】
なお、上記実施形態では、リフティングマグネット本体１０は電磁式リフティングマグネットを例示したが、永電磁式リフティングマグネットに代えることもできる。この場合、非通電時に磁力が存在し、通電時に磁力がなくなるので、リモコン端末による操作は上記実施形態のリフティングマグネットＸとは逆になる。
また、上記実施形態では、リフティングマグネットＸをクレーンで吊り下げる場合を例示したが、一般的なリフティングマグネットと同様に、バックホーなど他の重機を用いて吊り下げる等、吊り下げる方法は適宜変更することができる。
【符号の説明】
【００１３】
Ｘ  リフティングマグネット
１０  リフティングマグネット本体
１１  固定部材
２０  内燃力発電機
２１  アンテナ
３０  ケース
３１  ボルト穴
３２  吊り下げ板
３３  シャックル
【図１】
0003201467.tif 000003
【図２】
0003201467.tif 000004